(57)【要約】【課題】幅寸法の制限された既製のミラーキャビネット洗面化粧台を利用しつつ、さらに間口の広いミラーキャビネット洗面化粧台を実質的に実現することのできる拡張構造。【解決手段】ベースキャビネット（２）と、ベースキャビネットの上方に配置された洗面ボール（３）と、洗面ボールの上方に配置されたミラーキャビネット（４）とを備えたミラーキャビネット洗面化粧台（１）を水平方向に拡張する構造。ベースキャビネットに隣接して整列するように形成されたサイドベースキャビネット（１２）と、洗面ボールの周囲の洗面カウンター（３ａ）に隣接して整列するように形成されたサイドカウンター（１３）と、ミラーキャビネットに隣接して整列するように形成されたサイドミラーキャビネット（１４）とを備えている。【選択図】　図１
2004057625.tif 000002
【特許請求の範囲】
【請求項１】
ベースキャビネットと、該ベースキャビネットの上方に配置された洗面ボールと、該洗面ボールの上方に配置されたミラーキャビネットとを備えたミラーキャビネット洗面化粧台を水平方向に拡張する構造において、
前記ベースキャビネットに隣接して整列するように形成されたサイドベースキャビネットと、
前記洗面ボールの周囲の洗面カウンターに隣接して整列するように形成されたサイドカウンターと、
前記ミラーキャビネットに隣接して整列するように形成されたサイドミラーキャビネットとを備えていることを特徴とする構造。
【請求項２】
前記ミラーキャビネットの下端位置において前記ミラーキャビネットおよび前記サイドミラーキャビネットの全体に亘って水平方向に延びたモール部材と、
前記サイドミラーキャビネットの下方において前記モール部材に着脱自在に取り付けられた収納部を備えていることを特徴とする請求項１に記載の構造。
【請求項３】
前記ミラーキャビネットの上端位置において前記ミラーキャビネットおよび前記サイドミラーキャビネットの全体に亘って水平方向に延びた照明部を備えていることを特徴とする請求項１または２に記載の構造。
【発明の詳細な説明】
【０００１】
【発明の属する技術分野】
本発明は、ミラーキャビネット洗面化粧台の拡張構造に関するものである。
【０００２】
【従来の技術】
従来、ベースキャビネットの上方に洗面ボールが配置され且つ洗面ボールの上方にミラーキャビネット（ミラー収納キャビネット）が配置された洗面化粧台、すなわちミラーキャビネット洗面化粧台が知られている。一般的に、ミラーキャビネット洗面化粧台では、ミラーキャビネットの本体部分が、たとえばＨＩＰＳ（ハイ・インパクト・ポリスチレン）のような適当な樹脂により一体成形されている。
【０００３】
【発明が解決しようとする課題】
従来のこの種のミラーキャビネット洗面化粧台の場合、ミラーキャビネットの本体部分の一体成形の限界により、またはミラーキャビネットや洗面ボール付きベースキャビネットの搬送の限界により、ミラーキャビネット洗面化粧台の最大幅寸法が１２００ｍｍ程度に抑えられているのが現状である。しかしながら、設置スペースに余裕がある場合、できるだけ間口の広いミラーキャビネット洗面化粧台への要求が強くなりつつある。
【０００４】
本発明は、前述の課題に鑑みてなされたものであり、幅寸法の制限された既製のミラーキャビネット洗面化粧台を利用しつつ、さらに間口の広いミラーキャビネット洗面化粧台を実質的に実現することのできる拡張構造を提供することを目的とする。
【０００５】
【課題を解決するための手段】
前記課題を解決するために、本発明では、ベースキャビネットと、該ベースキャビネットの上方に配置された洗面ボールと、該洗面ボールの上方に配置されたミラーキャビネットとを備えたミラーキャビネット洗面化粧台を水平方向に拡張する構造において、
前記ベースキャビネットに隣接して整列するように形成されたサイドベースキャビネットと、
前記洗面ボールの周囲の洗面カウンターに隣接して整列するように形成されたサイドカウンターと、
前記ミラーキャビネットに隣接して整列するように形成されたサイドミラーキャビネットとを備えていることを特徴とする構造を提供する。
【０００６】
本発明の好ましい態様によれば、前記ミラーキャビネットの下端位置において前記ミラーキャビネットおよび前記サイドミラーキャビネットの全体に亘って水平方向に延びたモール部材と、前記サイドミラーキャビネットの下方において前記モール部材に着脱自在に取り付けられた収納部を備えている。また、前記ミラーキャビネットの上端位置において前記ミラーキャビネットおよび前記サイドミラーキャビネットの全体に亘って水平方向に延びた照明部を備えていることが好ましい。
【０００７】
【発明の実施の形態】
本発明では、ベースキャビネットに隣接して整列するように形成されたサイドベースキャビネットと、洗面ボールの周囲の洗面カウンターに隣接して整列するように形成されたサイドカウンターと、ミラーキャビネットに隣接して整列するように形成されたサイドミラーキャビネットとを備えた補助構造体が、既製のミラーキャビネット洗面化粧台に隣接して設けられている。
【０００８】
したがって、本発明では、既製のミラーキャビネット洗面化粧台が使用中であっても、補助構造体として拡張されたミラーキャビネット洗面化粧台のサイドカウンターおよびサイドミラーキャビネットを用いて、水を用いない洗面動作、たとえばヘアスタイルのセットや身だしなみのチェックなどを行うことができる。また、サイドベースキャビネットに脱衣カゴなどを取出し容易に収納したり、サイドカウンターを衣類の仕分け作業などに利用したりすることができる。
【０００９】
こうして、本発明では、搬送および一体成形の限界によりミラーキャビネット洗面化粧台の幅寸法が抑えられるが、幅寸法の制限された既製のミラーキャビネット洗面化粧台を利用しつつ、さらに間口の広いミラーキャビネット洗面化粧台を実質的に実現することができる。
【００１０】
なお、本発明では、ミラーキャビネットの下端位置において全体に亘って水平方向に延びたモール部材と、サイドミラーキャビネットの下方においてモール部材に着脱自在に取り付けられた収納部とを備えていることが好ましい。この構成により、ミラーキャビネット洗面化粧台と補助構造体との一体感（統一感）が生まれるだけでなく、特に洗面ボールの後方に比較的高いバックガードが設けられる場合、サイドミラーキャビネットの下端とサイドカウンターとの間の比較的広い空間を有効利用することができる。
【００１１】
また、本発明では、ミラーキャビネットの上端位置において全体に亘って水平方向に延びた照明部を備えていることが好ましい。この構成により、ミラーキャビネット洗面化粧台と補助構造体との一体感（統一感）が生まれるだけでなく、サイドカウンターおよびサイドミラーキャビネットを明るく照明して洗面動作を快適に行うことができる。
【００１２】
本発明の実施形態を、添付図面に基づいて説明する。
図１は、本発明の実施形態にかかる拡張構造が適用された洗面化粧台の全体構成を概略的に示す図であって、（ａ）は正面図であり、（ｂ）は側面図である。また、図２（ａ）は第１収納部としてのティッシュ箱収納部の外観斜視図であり、図２（ｂ）は第２収納部としてのオープン棚収納部の外観斜視図である。さらに、図３は、モール部材の縦断面図であって、モール部材と各収納部との着脱自在な係合を説明する図である。
【００１３】
図１を参照すると、本実施形態にかかる既製洗面化粧台１は、床に載置されるベースキャビネット２と、ベースキャビネット２の上方に設けられた洗面ボール３と、洗面ボール３の上方に設けられたミラーキャビネット４とにより構成されている。ミラーキャビネット４の本体部分は、たとえばＨＩＰＳ（ハイ・インパクト・ポリスチレン）のような適当な樹脂により一体成形されている。
【００１４】
一方、本実施形態にかかる拡張洗面化粧台１１は、ベースキャビネット２に隣接して整列するように形成されたサイドベースキャビネット１２と、洗面ボール３の周囲のカウンター３ａに隣接して整列するように形成されたサイドカウンター１３と、ミラーキャビネット４に隣接して整列するように形成されたサイドミラーキャビネット１４とにより構成されている。サイドミラーキャビネット１４の本体部分は、たとえば木製部材により構成されている。
【００１５】
なお、ミラーキャビネット４は、たとえば三面鏡を構成するように配置された３つのミラー扉４ａ〜４ｃを備えている。ミラー扉４ａ〜４ｃの裏側には、収納スペース（不図示）がそれぞれ設けられている。同様に、サイドミラーキャビネット１４はミラー扉１４ａを備え、ミラー扉１４ａの裏側にも収納スペース（不図示）が設けられている。
【００１６】
また、本実施形態では、ミラーキャビネット４の下端位置において、ミラーキャビネット４およびサイドミラーキャビネット１４の全体に亘って水平方向に延びたモール部材５が設けられている（図１（ａ）を参照）。さらに、サイドミラーキャビネット１４の下方において、第１収納部としてのティッシュ箱収納部６（図２（ａ）を参照）とオープン棚収納部７（図２（ｂ）を参照）とがモール部材５に着脱自在に取り付けられている（図３を参照）。
【００１７】
なお、様々な厚さのティッシュ箱があるので、ティッシュ箱収納部６の前面に向かってティッシュ箱を押し付けるための適当な手段をティッシュ箱収納部６が内蔵していることが好ましい。また、ミラーキャビネット４の上端位置において、ミラーキャビネット４およびサイドミラーキャビネット１４の全体に亘って水平方向に延びた照明部８が設けられている（図１（ａ）を参照）。
【００１８】
以上のように、本実施形態では、ベースキャビネット２に隣接して整列するように形成されたサイドベースキャビネット１２と、洗面ボール３の周囲の洗面カウンター３ａに隣接して整列するように形成されたサイドカウンター１３と、ミラーキャビネット４に隣接して整列するように形成されたサイドミラーキャビネット１４とを備えた補助構造体としての拡張洗面化粧台１１が、既製のミラーキャビネット洗面化粧台１に隣接して設けられている。
【００１９】
したがって、本実施形態では、既製のミラーキャビネット洗面化粧台１が使用中であっても、拡張されたミラーキャビネット洗面化粧台１１のサイドカウンター１３およびサイドミラーキャビネット１４を用いて、水を用いない洗面動作、たとえばヘアスタイルのセットや身だしなみのチェックなどを行うことができる。また、サイドベースキャビネット１２に脱衣カゴなどを取出し容易に収納したり、サイドカウンター１３を衣類の仕分け作業などに利用したりすることができる。
【００２０】
また、本実施形態では、ミラーキャビネット４の下端位置において全体に亘って水平方向に延びたモール部材５と、サイドミラーキャビネット１４の下方においてモール部材５に着脱自在に取り付けられた収納部（６，７）とを備えているので、既製のミラーキャビネット洗面化粧台１と拡張されたミラーキャビネット洗面化粧台１１との一体感（統一感）が生まれるだけでなく、特に洗面ボール３の後方に比較的高いバックガードが設けられる場合、サイドミラーキャビネット１４の下端とサイドカウンター１３との間の比較的広い空間を有効利用することができる。
【００２１】
さらに、本実施形態では、ミラーキャビネット４の上端位置において全体に亘って水平方向に延びた照明部８を備えているので、既製のミラーキャビネット洗面化粧台１と拡張されたミラーキャビネット洗面化粧台１１との一体感（統一感）が生まれるだけでなく、サイドカウンター１３およびサイドミラーキャビネット１４を明るく照明して洗面動作を快適に行うことができる。
【００２２】
【発明の効果】
以上説明したように、本発明では、既製のミラーキャビネット洗面化粧台が使用中であっても、拡張されたミラーキャビネット洗面化粧台のサイドカウンターおよびサイドミラーキャビネットを用いて、水を用いない洗面動作、たとえばヘアスタイルのセットや身だしなみのチェックなどを行うことができる。また、サイドベースキャビネットに脱衣カゴなどを取出し容易に収納したり、サイドカウンターを衣類の仕分け作業などに利用したりすることができる。
【００２３】
なお、本発明では、ミラーキャビネットの下端位置において全体に亘って水平方向に延びたモール部材と、サイドミラーキャビネットの下方においてモール部材に着脱自在に取り付けられた収納部とを備えている構成を採用することにより、ミラーキャビネット洗面化粧台と補助構造体との一体感が生まれ、特に洗面ボールの後方に比較的高いバックガードが設けられる場合、サイドミラーキャビネットの下端とサイドカウンターとの間の比較的広い空間を有効利用することができる。
【００２４】
また、本発明では、ミラーキャビネットの上端位置において全体に亘って水平方向に延びた照明部を備えている構成を採用することにより、ミラーキャビネット洗面化粧台と補助構造体との一体感（統一感）が生まれ、サイドカウンターおよびサイドミラーキャビネットを明るく照明して洗面動作を快適に行うことができる。
【図面の簡単な説明】
【図１】本発明の実施形態にかかる拡張構造が適用された洗面化粧台の全体構成を概略的に示す図であって、（ａ）は正面図であり、（ｂ）は側面図である。
【図２】（ａ）は第１収納部としてのティッシュ箱収納部の外観斜視図であり、（ｂ）は第２収納部としてのオープン棚収納部の外観斜視図である。
【図３】モール部材の縦断面図であって、モール部材と各収納部との着脱自在な係合を説明する図である。
【符号の説明】
１　既製洗面化粧台
２　ベースキャビネット
３　洗面ボール
３ａ　洗面カウンター
４　ミラーキャビネット
４ａ〜４ｃ，１４ａ　ミラー扉
５　モール部材
６　ティッシュ箱収納部
７　オープン棚収納部
８　照明部
１１　拡張洗面化粧台
１２　サイドベースキャビネット
１３　サイドカウンター
１４　サイドミラーキャビネット
【図１】
2004057625.tif 000003
【図２】
2004057625.tif 000004
【図３】
2004057625.tif 000005